(57)【要約】【課題】室内に設置された空調室内機で発生したドレンを室外に導く際に用いられるドレンアップ配管の施工に際し、簡単な構造で容易にホース継手を吊持することができ、配管工事の作業性を向上させる。【解決手段】空調室内機２のドレン管２ａと、ドレン管から排出されたドレンを室外に導くためのドレン横走り管３とを連結するホース継手４と、空調室内機を天井部に吊すための吊り部６に付設され、ホース継手を吊持する吊持部５とを備える空調室内機のドレンアップ配管１。吊り部を吊りボルトとし、吊持部を該吊りボルトと螺合するようにしてもよい。ホース継手は、断熱性及び弾性を有するホース部４ａを有し、ドレン管とドレン横走り管との間の距離、及びドレン管とドレン横走り管との間に介在する障害物に応じて変形可能とすることができる。【選択図】図１
0003150922.tif 000002
【実用新案登録請求の範囲】
【請求項１】
空調室内機のドレン管と、該ドレン管から排出されたドレンを室外に導くためのドレン横走り管とを連結するホース継手と、
前記空調室内機を天井部に吊すための吊り部に付設され、前記ホース継手を吊持する吊持部とを備えることを特徴とする空調室内機のドレンアップ配管。
【請求項２】
前記吊り部は、吊りボルトであって、前記吊持部は、該吊りボルトと螺合することを特徴とする請求項１に記載の空調室内機のドレンアップ配管。
【請求項３】
前記ホース継手は、断熱性及び弾性を有するホース部を有し、前記ドレン管と前記ドレン横走り管との間の距離、及び該ドレン管と該ドレン横走り管との間に介在する障害物に応じて変形可能であることを特徴とする請求項１又２に記載の空調室内機のドレンアップ配管。
【考案の詳細な説明】
【技術分野】
【０００１】
本考案は、室内に設置された空調室内機で発生したドレンを室外に導く際に用いられる空調室内機のドレンアップ配管に関する。
【背景技術】
【０００２】
従来、図３に示すように、室内の天井裏等に設置した空調室内機５１で発生したドレンを室外に導くにあたって、吊りボルト５６で支持された空調室内機５１にドレンポンプ（不図示）を設置し、空調室内機５１から突出するドレン管５１ａとドレン横走り管５３とをホース継手５２にて連結していた。その際、ホース継手５２のホース部５２ａを安定した状態に維持するため、ホース部５２ａをコンクリートの天井に固定した吊りボルト５５を介して吊持金具５４にて支持していた。
【０００３】
具体的なドレン配管設置作業としては、図４に示すように、まず、ステップＳ１において、ドレン横走り管５３を敷設し、ステップＳ２において、ドレン横走り管５３の通水試験を行い、漏れがないことを確認した後、ステップＳ３において、ドレン横走り管５３を保温する。
【０００４】
そして、ステップＳ４において、天井に空調室内機５１を設置し、ステップＳ５において、ホース継手５２を介して空調室内機５１のドレン管５１ａと既設のドレン横走り管５３とを連結する。
【０００５】
その後、ステップＳ６において、空調室内機５１のモータ（不図示）を仮設電源等（不図示）を用いて運転し、ドレン管５１ａの通水試験を行う。漏れがないことを確認した後、ステップＳ７において、空調室内機５１の周りのドレン管５１ａの防露を行う。最後にステップＳ８において、軽鉄天井下地を取り付け、ステップＳ９において、天井ボードを貼って空調室内機５１の配置及び天井工事が完了する。
【０００６】
上記ドレン配管設置作業において、ホース部５２ａを吊りボルト５５を介して吊持金具５４にて支持する作業手順について、図４（ｂ）に沿って説明する。まず、ステップＳ５ａにおいて、ドレンアップするための吊持金具５４を設置する位置を選定し、ステップＳ５ｂにおいて、天井部にドリルで穴を穿設し、ステップＳ５ｃにおいて、該穴に全ねじの吊りボルト５５を挿入・固定し、ステップＳ５ｄにおいて、吊りボルト５５に吊持金具５４を取り付ける。最後に、ステップＳ５ｅにおいて、吊持金具５４によってホース部５２ａを吊持して作業を終了する。尚、天井に鉄板等のデッキが存在する場合には、吊りボルト５５を溶接にてデッキに固定するか、デッキに取り付けたブラケット等を介して吊りボルト５５を固定し、吊りボルト５５に取り付けた吊持金具５４によってホース部５２ａを吊持することもできる。
【考案の開示】
【考案が解決しようとする課題】
【０００７】
しかし、上記従来のドレン配管設置作業では、天井がコンクリートの場合には、コンクリートに吊りボルトを固定する際に、コンクリートにドリルで穴を穿設して吊りボルトを固定する必要があり、作業に手間が掛かるという問題があった。一方、天井にデッキを有する場合でも、デッキに吊りボルトを溶接したり、ブラケット等を設ける必要があり、同様の問題があった。
【０００８】
そこで、本考案は、上記従来の技術における問題点に鑑みてなされたものであって、簡単な構造で容易にホース継手を吊持することができ、配管工事の作業性を向上させることのできる空調室内機のドレンアップ配管を提供することを目的とする。
【課題を解決するための手段】
【０００９】
上記目的を達成するため、本考案は、空調室内機のドレンアップ配管であって、空調室内機のドレン管と、該ドレン管から排出されたドレンを室外に導くためのドレン横走り管とを連結するホース継手と、前記空調室内機を天井部に吊すための吊り部に付設され、前記ホース継手を吊持する吊持部とを備えることを特徴とする。
【００１０】
そして、本考案にかかるドレンアップ配管によれば、空調室内機を天井部に吊すための吊り部に付設された吊持部によってホース継手を吊持するため、天井に吊持部を固定するための作業が不要となり、簡単な構造で容易にホース継手を吊持することができ、配管工事の作業性が向上する。
【００１１】
前記空調室内機のドレンアップ配管において、前記吊り部を吊りボルトとすることができ、前記吊持部を、該吊りボルトと螺合するように構成することができる。これにより、吊持部の位置を容易に調整することができ、配管工事の作業性をより向上させることができる。
【００１２】
前記空調室内機のドレンアップ配管において、前記ホース継手は、断熱性及び弾性を有するホース部を有し、前記ドレン管と前記ドレン横走り管との間の距離、及び該ドレン管と該ドレン横走り管との間に介在する障害物に応じて変形可能とすることができる。ホース継手は断熱性を備えるため、断熱材を別途設ける必要もなく、弾性を有するため、ドレン横走り管への接続も容易に行うことができる。また、ドレン管とドレン横走り管との間の距離は施工場所により異なるが、その距離に応じて変形し、ドレン管とドレン横走り管とを連結することができる。また、ドレン管とドレン横走り管との間に障害となるものが存在しても、障害物を回避してホース継手を装着することができる。
【考案の効果】
【００１３】
以上のように、本考案によれば、簡単な構造で容易にホース継手を吊持することができ、配管工事の作業性を向上させることのできる空調室内機のドレンアップ配管を提供することができる。
【考案を実施するための形態】
【００１４】
次に、本考案の実施の形態について図面を参照して詳細に説明する。
【００１５】
図１は、本考案にかかるドレンアップ配管の一実施の形態を示し、このドレンアップ配管１は、 空調室内機２のドレン管２ａと、このドレン管２ａから排出されたドレンを室外に導くためのドレン横走り管３とを連結するホース継手４と、空調室内機２を天井部（不図示）に吊すための吊り部６（全ねじ吊りボルト）に付設され、ホース継手４を吊持する吊持部５とを備える。
【００１６】
ホース継手４は、ホース部４ａと、その両端に取付部４ｂ、４ｃとを備える。ホース部４ａ及び取付部４ｂ、４ｃは、軟質の塩化ビニール等からなり、ホース部４ａは、断熱性及び弾性を有し、吊持部５にて吊持されても変形して管路が閉塞しないような強度を有する。ホース部４ａは、その可撓性により湾曲し、ドレン管２ａとドレン横走り管３との間の距離や位置によらず、また、ドレン管とドレン横走り管との間に障害となるものが存在しても、障害物を回避してホース継手４を装着することができる。取付部４ｂ、４ｃは、エルボー状又は円筒状等に形成され、空調室内機２のドレン管２ａ及びドレン横走り管３を囲繞するようにこれらに挿入可能に構成される。締付部４ｄ、４ｅは、バンド等を備え、取付部４ｂ、４ｃをドレン管２ａ、ドレン横走り管３に各々取り付けた後、取付部４ｂ、４ｃを外部から締め付けることにより、取付部４ｂ、４ｃがドレン管２ａ等から外れることを防止するとともに、取付部４ｂ、４ｃのドレンの漏れを防止するために備えられる。
【００１７】
吊持部５は、ホース継手４のホース部４ａを吊した状態で支持するために備えられ、図２に示すように、全体的にプラスチックからなり、Ｕ字状のホース保持部５ａと、帯板状の蓋部５ｂと、雌ねじ部５ｃとを備える。ホース保持部５ａの先端部は、係止部５ｄとして形成され、蓋部５ｂには係止孔５ｅが穿設される。ホース保持部５ａにてホース部４ａを囲繞して吊持することができる。雌ねじ部５ｃは、吊り部６のねじに対応するねじ山を有し、吊り部６と螺合することで、吊り部６に対する吊持部５の位置を容易に微調整することができ、ホース部４ａをドレンが流れて負荷が増加しても吊り部６からずり落ちることもない。
【００１８】
次に、上記構成を有する空調室内機のドレンアップ配管設置方法の一例について、図４を中心に参照しながら説明する。
【００１９】
具体的な配管設置作業としては、図４（ａ）に示すように、ステップＳ１〜Ｓ９と同様の工程順にて作業を行うが、本考案では、図４（ｃ）に示すように、図４（ｂ）の工程と比較してホース部４ａを支持する工程を簡略化することができる。
【００２０】
ステップＳ１５ａにおいて、吊り部６への吊持部５の取付位置を選定し、ステップＳ１５ｂにおいて、吊持部５を吊り部６に固定する。最後に、ステップＳ１５ｃにおいて、吊持部５でホース部４ａを吊持して作業を終了する。
【００２１】
ここで、吊持部５にてホース部４ａを吊持するにあたり、図２（ａ）に示すように、吊持部５のねじ山と吊り部６のねじが螺合するように、雌ねじ部５ｃを吊り部６に固定し、次に、ホース保持部５ａにてホース部４ａを吊持し、指で蓋部５ｂを押し下げると、図２（ｂ）に示すように、蓋部５ｂの係止孔５ｅがホース保持部５ａの係止部５ｄに係止され、ホース部４ａを吊持部５にて吊持することができる。
【００２２】
このように、本考案では、図４（ｃ）に示すように、天井部に穴を穿設し、穿設した穴に全ねじの吊りボルトを挿入・固定する工程を経ることなく、容易にホース部４ａを支持することができる。
【００２３】
また、吊持部５は、吊持部５によってホース継手４のホース部４ａを吊持した際に、ホース部４ａの吊持された部分が変形し、管路が閉塞しないような位置を選択して設置することが好ましい。具体的には、ホース継手４の取付部４ｂからある程度離れた位置を吊持部５で吊持することで、ホース継手が変形して管路が閉塞する危険性が小さくなり、安定してドレンをドレン横走り管に導くことができる。
【図面の簡単な説明】
【００２４】
【図１】本考案にかかるドレンアップ配管の一実施の形態を示す概略図である。
【図２】図１のドレンアップ配管の吊持部の一例及びその使用方法を説明するための斜視図である。
【図３】従来のドレンアップ配管の一例を示す概略図である。
【図４】従来及び本考案にかかる空調室内機の設置及び天井工事方法を比較したフローチャートである。
【符号の説明】
【００２５】
１ ドレンアップ配管
２ 空調室内機
２ａ  ドレン管
３ ドレン横走り管
４ ホース継手
４ａ  ホース部
４ｂ、４ｃ  取付部
４ｄ、４ｅ  締付部
５ 吊持部
５ａ  ホース保持部
５ｂ  蓋部
５ｃ  雌ねじ部
５ｄ  係止部
５ｅ  係止孔
６ 吊り部
【図１】
0003150922.tif 000003
【図２】
0003150922.tif 000004
【図３】
0003150922.tif 000005
【図４】
0003150922.tif 000006